(57)【要約】【課題】道糸を引くあるいは緩めるという操作だけで、翼の機能を有する部材の作用により水中で確実に上昇あるいは飛行させることが可能な姿勢を保持することができる釣具仕掛けを提供する。【解決手段】道糸２０に接続し水中に投入して使用される釣り用擬似餌。擬似餌本体１１の形状を筒型として水中で擬似餌が沈降するときおよび道糸２０により引かれるときに擬似餌に揚力が生じる形状とし、擬似餌本体１１の一方の端部の上方に同端部から外方に延在して前記揚力の作用を安定化させる補助翼１３を設け、他方の端部の下方におもり１２を設けるとともに、補助翼１３とおもり１２を結ぶ線よりも外側に離れた位置に道糸の接続部１５を設けた。【選択図】  図２
2004154134.tif 000002
【特許請求の範囲】
【請求項１】
道糸に接続し水中に投入して使用される釣り用擬似餌であって、擬似餌本体の形状を筒型とし、前記擬似餌本体の一方の端部に同端部から外方に延在する延長部材を設けたことを特徴とする釣り用擬似餌。
【請求項２】
道糸に接続し水中に投入して使用される釣り用擬似餌であって、擬似餌本体の形状を筒型として水中で擬似餌が沈降するときおよび道糸により引かれるときに擬似餌に揚力が生じる形状とし、前記擬似餌本体の一方の端部に同端部から外方に延在して前記揚力の作用を安定化させる延長部材を設け、他方の端部の前記延長部材の周方向位置に対向する位置におもりを設けるとともに、前記延長部材と前記おもりを結ぶ線よりも外側に離れた位置に道糸の接続部を設けたことを特徴とする釣り用擬似餌。
【請求項３】
道糸に接続し水中に投入して使用されるサビキ釣り用餌籠であって、筒型の外郭体の内側に籠型部材を取り付けた餌籠として、水中で餌籠が沈降するときおよび道糸により引かれるときに餌籠に揚力が生じる形状とし、前記外郭体の一方の端部に同端部から外方に延在して前記揚力の作用を安定化させる延長部材を設け、前記籠型部材のおもりを設けた底部が前記外郭体の他方の端部側に位置するように籠型部材を外郭体の内側に取り付け、前記延長部材と前記おもりを結ぶ線よりも外側に離れた位置に道糸の接続部を設けたことを特徴とするサビキ釣り用餌籠。
【請求項４】
道糸に接続し水中に投入して使用されるサビキ釣り用餌籠であって、底部におもりを設けた籠型部材が水中で沈降するときおよび道糸により引かれるときに揚力を発生する翼部材を籠型部材に設けるとともに、籠型部材の上端部に同上端部から外方に延在して前記揚力の作用を安定化させる延長部材を設け、前記延長部材と前記おもりを結ぶ線よりも外側に離れた位置に道糸の接続部を設けたことを特徴とするサビキ釣り用餌籠。
【発明の詳細な説明】
【技術分野】
【０００１】
本発明は、釣具仕掛けとしての釣り用擬似餌およびサビキ釣り用餌籠に関し、とくに水中で軽量で俊敏、かつ潜航できる疑似餌や急上昇と飛行の機能を持たせた釣り用擬似餌、およびサビキ釣り用餌籠に関する。
【背景技術】
【０００２】
釣りは人気のあるレジャーとして広く普及しており、海や川、湖において多くの人が釣りを楽しんでいる。そして、釣りの成果を高めるため、また釣り自体をより楽しむために、釣り具仕掛けにも目的に応じたさまざまな工夫と改良が加えられている。
たとえば釣り用擬似餌としての餌木は、江戸時代末期に創案され、以来数々の改良が行われ、現在では木材またはプラスチックのボディに下地、表地の布を巻き、目、胸羽、尻羽、口糸、おもり、釣り針などを付けたものが主流となっている。図１０の（ａ）はイカ釣り用の餌木１００であり、擬似餌本体１０１に、おもり１０２と釣り針１０３と口糸１０４を付けたものである。
また、ブラックバス釣り用のルアーやサビキ釣り用の餌籠についても改良が重ねられて現在のかたちになっている。図１０の（ｂ）はブラックバス釣り用のルアー１１０であり、図１０の（ｃ）はサビキ釣り用のおもり付き餌籠１２０である。
【０００３】
ところで、従来の餌木やルアーなどの擬似餌の使用法は、水中に投入した後、いわゆるアクションを付けたり、シャクリを入れたりして擬似餌を水中で動かすのであるが、擬似餌には頭部に近い方におもりが取り付けられて重心が頭部寄りにあり、かつ頭部先端に道糸が接続されているので、図１１に矢印で示すように、自然沈降時やシャクリをいれるたびに擬似餌Ｇは釣人の方に戻ってくる動きをする。このため、擬似餌Ｇが手元に戻ってくるたびに擬似餌Ｇを前方に投入する遠投操作が必要であり、この遠投操作を数十回、数百回も繰り返さなければならないという問題があった。また、最適なポイントも、短い時間で通り過ぎてしまうという問題があった。
【０００４】
舟釣りの場合には、シャクリを繰り返して擬似餌に上下方向の動きを与えるのであるが、沈降時にフラフラと動くものはあっても、擬似餌の動きは全体として上下方向のみであり、動きの変化に乏しいものであった。
また、淡水の湖や池では、水面のみに水草があるような場合では、水草の手前ぎりぎりから狙うことが多く、水草下の奥深くを狙うことは困難であった。
また、従来のサビキ釣りでは、防波堤などで竿から直接にシャクリながら釣る場合は、おもり付き餌籠は竿の先端から真下に沈むので、竿の長さだけしか遠くを狙えなかった。もう少し遠くを狙った方が良い場合では、わざわざウキを付ける必要があった。
【０００５】
また、従来の疑似餌には、「メタルジグ」「ミノープラグ」、「クランベイト」というような商品名の製品が販売されているが、いずれも重さや抵抗が大きく、深く先行させた上程で、小刻みで軽快かつ俊敏な動きを達成することは困難であった。
【０００６】
また、従来の擬似餌では、擬似餌が沈降したときの釣り針の向きが根掛かりする方向であるため、着底の際に根掛かりを避けることは困難であった。従来の餌木では、根掛かりに対する対策として下側の針を付けないようにしたり、おもりを長くして針よりも先におもりが障害物に接触するようにしたりしたものがあるが、これではイカの針掛かりが悪くなる傾向がある。なお、シャクリを入れる際も、ほぼ道糸から引かれる方向に進むため、障害物に根掛かりする傾向がある。
【０００７】
このような種々の問題に対して、その一部について改良された餌木が提案されている。一つは餌木の頭部寄りに水中翼を設け、水中での沈下速度を遅くし、シャクリ時に急上昇させることができて根掛かりを防止することが可能なものとして特開２００２−２０４６３３号公報（特許文献１）に開示されている。
一方、水中では沈下が少なく滑らかな泳ぎをさせる構造のものとして、特開２００２−３５４９６４号公報（特許文献２）に開示された擬似餌がある。
さらに、釣具に翼を付けた構造として、実開昭５７−５２１７７号公報（特許文献３）に開示された釣具用天秤や、特開平１１−２３５１４２号公報（特許文献４）がある。いずれも錘に翼を形成するプレートを取り付けたものがある。
【０００８】
【特許文献１】特開２００２−２０４６３３号公報
【特許文献２】特開２００２−３５４９６４号公報
【特許文献３】実開昭５７−５２１７７号公報
【特許文献４】特開平１１−２３５１４２号公報
【発明の開示】
【発明が解決しようとする課題】
【０００９】
特許文献１に記載の餌木では、水中翼は餌木の頭部寄りのみに設けられており、道糸が餌木の頭部側に接続されているので、シャクリのたびに餌木が釣り人の方に寄ってくるという従来の問題は解決されていない。さらに水中翼が擬似餌本体の外部に取り付けられており、実際の魚や海老などの模写から外れるような大きな翼を取り付けることは、疑似餌としての性格からみて現実的でない。
特許文献２に記載の疑似餌では、これは、中空貫通した金属または樹脂製の筒状体の両端または一方の端を鋭角状に切断加工し、その鋭角状の切り口と同一方向に先端部を反らせるように曲げた構造である。この場合、姿勢制御が主体となっており、揚力を発生させることと、抵抗を削減することが両立できるしくみとはなっていない。
特許文献３および特許文献４に記載の錘では、いずれも錘に翼を形成するプレートを取り付けたものがあるが、いずれも本体外部に相当の翼が必要であり、遠投性や全体の大きさや疑似餌としてのデザインに限界がある。
【００１０】
本発明の第１の目的は、道糸を引くあるいは緩めるという操作だけで、翼の機能を有する部材の作用により水中で確実に上昇あるいは飛行させることが可能な姿勢を保持することができる釣具仕掛けを提供することにある。
本発明の第２の目的は、軽量で俊敏、かつ潜航させる事ができる疑似餌を提供することにある。
【課題を解決するための手段】
【００１１】
本発明者は、擬似餌やサビキ釣り用餌籠などの釣具仕掛けの水中における挙動について解析し、とくに道糸を引いたり緩めたりしたときに釣具仕掛けがどのような動きをし、また釣具仕掛けの形状が動きに対してどのように影響するかについて、実験を繰り返し、以下のような基本的な特性に関する知見を得た。
【００１２】
（１）揚力を得るための原理
道糸を緩めて、水中で釣具仕掛けが飛行するように動くとき、釣具仕掛けに発生する揚力は釣具仕掛けの形状に左右され、釣具仕掛けにグライダーの主翼に相当する部材と補助翼（尾翼または先翼）に相当する部材を設けることにより、グライダーの原理と同様な原理によって釣具仕掛けに水中での揚力が発生する。
また、道糸を引いて、水中で釣具仕掛けが上昇もしくは潜航するように動くときも同様に、釣具仕掛けに発生する揚力は釣具仕掛けの形状に左右され、釣具仕掛けに凧の翼に相当する部材を設けることと適正な位置に道糸の接続部を設けることにより、凧の原理と同様な原理によって釣具仕掛けに水中での揚力が発生する。
【００１３】
（２）上下方向のバランス（ピッチング）調整
道糸を緩めて、水中で釣具仕掛けがグライダーのように飛行するためには、主翼相当部材を釣具仕掛けの重心近くに設け、比較的大きな補助翼相当部材を設けることで、機首に相当する部位を上げる作用と、道糸の接続部に作用する機首に相当する部位を下げる作用とをバランスさせて、飛行姿勢を保持することが必要である。いずれの作用も飛行速度に同調して増減するので、飛行速度に関係なくバランスさせることが可能である。また、上昇から飛行に移行する際の飛行速度がゼロの場合においても、主翼相当部材の下方に離れた位置におもりを配置することで、振り子の原理により飛行速度に関係なく安定した姿勢が保持できる。逆に上方に浮力材を配置することによっても、振り子の原理により安定した姿勢が保持できる。
さらに、道糸を引いて、水中で釣具仕掛けを急上昇もしくは潜航させるためには、道糸の接続部を主翼相当部材または補助翼相当部材から離れた位置とすることで、凧の原理により安定させることができる。
【００１４】
（３）横傾き方向のバランス（ローリング）調整
道糸を緩めた時、飛行時の横傾き方向のバランスに対しても、飛行速度に関係なく振り子の原理により姿勢を保持した飛行が得られる。上下方向のバランスの場合と同様に、主翼相当部材の下方の離れた位置におもりを配置することで、振り子の原理により安定した飛行ができ、逆に上方に浮力材を配置することによっても、振り子の原理により安定した飛行ができる。
道糸を引いた時、上昇時もしくは潜航時の横傾き方向のバランスに対しては、道糸の接続部を主翼相当部材または補助翼相当部材から離れた位置とすることで、凧の原理と同様にバランスを保持することができる。
【００１５】
（４）左右方向のバランス（ヨーイング）調整
道糸を緩めた時、飛行時の左右方向のバランスに対しては、道糸による一定方向の張力が作用するので、飛行機などの垂直尾翼に相当する部材を取り付けなくても左右方向の姿勢を保持することができる。
道糸を引いた時、上昇時もしくは潜航時にはおもりとともに道糸張力が振り子の役目を果たして左右方向の姿勢を保持することができる。
【００１６】
本発明は以上のような基本的な特性に関する知見をもとにして完成されたものである。
すなわち本発明に係る釣具仕掛けは、第１の目的では、釣具仕掛け本体にグライダーの主翼と補助翼の機能に相当する機能を有し、水中にある釣具仕掛けに対して道糸を引くと、凧の原理で水中を急上昇し、道糸を緩めるとグライダーの原理で水中を飛行する特性を有する釣具仕掛けである。
第２の目的では、重量が小さく抵抗も小さくしており、素早い動きと軽やかな動きができると同時に、軽量で抵抗が少ないため飛行効率が良く、ラインを引く方向と角度をもってスライドして潜航することができる。このために、舟や防波堤など上からの操作に対して疑似餌を横方向に俊敏に動かすことができる釣具である。
【００１７】
本発明の釣具仕掛けの対象となるのは、イカ釣り用の餌木、ブラックバス釣り用、ジギング釣り用のルアーなどの擬似餌、および、サビキ釣り用の餌籠である。これらの釣具仕掛けを、グライダーの主翼の機能を有する主部材と補助翼に相当する機能を有する補助部材を主要構成とし、主部材や補助部材とおもりの位置関係および道糸接続部の位置関係を適正に選ぶことで、道糸を引くと急上昇し、道糸を緩めると飛行する釣具や、道糸を引くと俊敏に潜航する釣具仕掛けとなる。このような機能をもたせるために、以下のような構成とする。
【００１８】
本発明の第１の構成は、道糸に接続し水中に投入して使用される釣り用擬似餌であって、擬似餌本体の形状を筒型とし、前記擬似餌本体の一方の端部に同端部から外方に延在する延長部材を設けたことを特徴とする釣り用擬似餌である。
【００１９】
本発明の第２の構成は、道糸に接続し水中に投入して使用される釣り用擬似餌であって、擬似餌本体の形状を筒型として水中で擬似餌が沈降するときおよび道糸により引かれるときに擬似餌に揚力が生じる形状とし、前記擬似餌本体の一方の端部に同端部から外方に延在して前記揚力の作用を安定化させる延長部材を設け、他方の端部の前記延長部材の周方向位置に対向する周方向位置におもりを設けるとともに、前記延長部材と前記おもりを結ぶ線よりも外側に離れた位置に道糸の接続部を設けたことを特徴とする。
【００２０】
本発明の第３の構成は、道糸に接続し水中に投入して使用されるサビキ釣り用餌籠であって、筒型の外郭体の内側に籠型部材を取り付けた餌籠として、水中で餌籠が沈降するときおよび道糸により引かれるときに餌籠に揚力が生じる形状とし、前記外郭体の一方の端部に同端部から外方に延在して前記揚力の作用を安定化させる延長部材を設け、前記籠型部材のおもりを設けた底部が前記外郭体の他方の端部側に位置するように籠型部材を外郭体の内側に取り付け、前記延長部材と前記おもりを結ぶ線よりも外側に離れた位置に道糸の接続部を設けたことを特徴とする。
【００２１】
本発明の第４の構成は、道糸に接続し水中に投入して使用されるサビキ釣り用餌籠であって、底部におもりを設けた籠型部材が水中で沈降するときおよび道糸により引かれるときに揚力を発生する翼部材を籠型部材に設けるとともに、籠型部材の上端部に同上端部から外方に延在して前記揚力の作用を安定化させる延長部材を設け、前記延長部材と前記おもりを結ぶ線よりも外側に離れた位置に道糸の接続部を設けたことを特徴とする。
【００２２】
本発明の第１の構成においては、容積（浮力）に対するおもりが必要でなく、潜るための羽根板などの抵抗も小さいため、ボリューム感の割には、全体の重さが軽量なため慣性力も小さく、内部を水流が通り過ぎるため、抵抗も少ない。このことより、竿からの操作に対し、すばやく短く連続して動かせる擬似餌となる。
【００２３】
本発明の第２の構成において、擬似餌本体は筒型部材で形成する。筒型の擬似餌本体は、立体凧と同様な原理にて、筒の外郭の一部にグライダーの主翼に相当する機能をもたせるように設計することが可能であり、外部に大きな翼を設ける必要がないので、筒型部材の前後端のカットや延長部材の形状に傾斜や曲線をもたせることで小魚やエビに似せた全体形状とすることもできる。また、胴部が中空であるので、後述するように擬似餌本体が水中で上昇または飛行するときに、水が筒の内部を流通することができ、このため擬似餌本体が動揺することがなく、安定した姿勢を維持することができる。
【００２４】
この擬似餌本体の延長部材に対向する他方の端部（擬似餌の頭部）におもりを設けることによって、擬似餌本体は水中にて道糸を緩めると他方の端部を下にした傾斜姿勢となる。擬似餌本体が筒型であるので、擬似餌本体そのものがグライダーの主翼の機能を有し、水中での揚力が発生し、また、筒型の擬似餌本体とおもりの協働作用によって、振り子の原理により安定した飛行ができる。また、擬似餌本体の一方の端部に設けた延長部材がグライダーの補助翼の機能を有し、飛行時の上下方向のバランス調整ができる。また、急上昇時にはこの延長部材によっても揚力を得ることができる。
【００２５】
延長部材の形状、大きさはとくに限定されるものではなく、擬似餌本体の形状、大きさや道糸の接続点に作用する張力の変化量に合わせて設計する。延長部材は飛行時の姿勢を安定化させるのが目的であるから、この目的に沿った形状、大きさとする必要がある。飛行機やグライダーには補助翼として水平尾翼と垂直尾翼があるが、擬似餌の場合は水平尾翼に相当する延長部材があれば十分であり、垂直尾翼に相当する部材は必ずしも必要としない。
【００２６】
擬似餌本体に設けるおもりは、従来の擬似餌に取り付けられているおもりと基本的には同じ機能をもたせたもので、擬似餌本体とのバランスのもとで擬似餌が水中で飛行できるような重さのおもりとする。おもりを取り付けた位置と道糸の接続点は離れているので、道糸を引いたときには、擬似餌はおもりを取り付けた側（頭部側）が下になった姿勢で急上昇し、道糸を緩めたときには、擬似餌は道糸とは反対側の方向に道糸の張力の影響を受けながらゆっくりと飛行することになる。
【００２７】
釣り針は従来の擬似餌に取り付けられている釣り針と同じものでよい。ただし、釣り針を取り付ける位置は、おもりを取り付けた側の端部とするのがよい。
【００２８】
道糸の接続点の位置を、水中にある擬似餌が道糸により引かれるときに立体凧の原理により揚力が生じるように、延長部材とおもりを結ぶ線より外側に離れた位置とすることにより、道糸を引くと擬似餌は急上昇する。このとき、引く力の強弱に関係なく凧の原理にて姿勢が保持できる。道糸を緩めたときに擬似餌が飛行する際には、道糸の接続点に作用する張力がおもりのある側（頭部）を下げる方向に回転モーメントが発生するが、延長部材の形状を調整し、頭部を上げる作用とバランスさせることにより飛行姿勢を保持する。
【００２９】
このような構成とすることにより、水中にある擬似餌に対して、道糸を引くと凧の原理で急上昇し、道糸を緩めると道糸と反対方向にグライダーの原理で飛行する機能を有する擬似餌となる。道糸を緩めたときに擬似餌は道糸と反対側に飛行するので、防波堤などで釣る際にシャクリをいれるたびに擬似餌が釣人の方に戻ってくることはなく、何度も遠投操作を繰り返す必要がなく、最適なポイントで長い時間の釣りを続行することができる。また、舟釣りの場合には、シャクリを繰り返すことにより擬似餌は横方向の変化に富んだ動きをする。また、湖や池で水草下の奥深くを狙うことも容易となる。また、道糸を引いたときに擬似餌は急上昇するので、根掛かりしにくくなる。
【００３０】
本発明の第３の構成においては、筒型の外郭体の内側に籠型部材を取り付ける。籠型部材は、従来のサビキ釣り用餌籠と同様な底部におもりを設けた籠体を用いる。外郭体の一方の端部に延長部材を設け、おもりを付けた籠型部材の底部が外郭体の他方の端部側に位置するように取り付けることにより、サビキ釣り用餌籠は水中にて道糸を緩めると他方の端部を下にして傾斜姿勢となる。外郭体が筒型であるので、外郭体そのものがグライダーの主翼の機能を有し、水中での揚力が発生し、また、外郭体とおもりの協働作用によって、振り子の原理により安定した飛行ができる。また、外郭体の一方の端部に設けた延長部材がグライダーの補助翼の機能を有することは擬似餌の場合と同様である。
【００３１】
延長部材の形状、大きさはとくに限定されるものではなく、外郭体および籠型部材の形状、大きさや道糸の接続点に作用する張力の変化量に合わせて設計する。道糸の接続点の位置を、水中にあるサビキ釣り用餌籠が道糸により引かれるときに立体凧の原理により揚力が生じるように、延長部材とおもりを結ぶ線より外側に離れた位置とすることにより、擬似餌の場合と同様に、道糸を引いたときには、サビキ釣り用餌籠はおもりを取り付けた底部が下になった姿勢で急上昇し、道糸を緩めたときには、サビキ釣り用餌籠は道糸とは反対側の方向に道糸の張力の影響を受けながらゆっくりと飛行することになる。防波堤などで釣る場合に竿をシャクルと急上昇し、弛めると釣り人から離れる方向に飛行するため、サビキ釣り用餌籠は竿の先端よりも先の方に進むので、竿の長さ以上の遠くを狙うことができるようになる。
【００３２】
このサビキ釣り用餌籠の構成において、籠型部材の外郭体内側への取り付け位置は、外郭体と同心となるように籠型部材を取り付けることもできるが、籠型部材を偏心させて外郭体に接着させるようにすると、取り付けが簡単にできる。どちらの場合でも水中での動きや餌籠としての効用に大差はない。
【００３３】
本発明の第４の構成においては、第２の構成における延長部材付きの筒型の外郭材に代えて、籠型部材に翼部材と延長部材を設ける。籠型部材は従来のサビキ釣り用餌籠と同様な底部におもりを設けた籠体である。本発明においては、この籠型部材に、グライダーの主翼の機能を有する翼部材と尾翼の機能を有する延長部材を設けることによって、第２の構成のサビキ釣り用餌籠の場合と同様に、サビキ釣り用餌籠が水中で沈降するときおよび道糸で引かれるときに揚力が生じ、斜め上下方向に移動することができる。
【００３４】
延長部材は、翼部材により生じる揚力の方向と同じ側に籠型部材の上端部に設ける。延長部材は、周方向の対向する２箇所に設けた羽根でもよく、また端部から上方に延長した部材であってもよい。延長部材の機能は第２の構成における延長部材の機能と基本的に同じである。
【００３５】
このサビキ釣り用餌籠の場合も第２の構成によるサビキ釣り用餌籠の場合と同様に、道糸を引いたときには、サビキ釣り用餌籠はおもりを取り付けた底部が下になった姿勢で急上昇し、道糸を緩めたときには、サビキ釣り用餌籠は道糸とは反対側の方向に道糸の張力の影響を受けながらゆっくりと飛行することになる。
【発明の効果】
【００３６】
道糸に接続し水中に投入して使用される擬似餌の本体またはサビキ釣り用餌籠の外郭体を筒型形状として、水中で擬似餌または餌籠が沈降するときおよび道糸により引かれるときに揚力が生じ、斜め上下方向に移動する形状とし、この筒型の擬似餌本体または餌籠の外郭体の一方の端部に前記揚力の作用を安定化させる延長部材を設けた構成としたことにより、水中にある擬似餌または餌籠に対して、道糸を引くと急上昇し、道糸を緩めると道糸と反対方向に飛行する機能を有する擬似餌または餌籠となる。
【００３７】
道糸を緩めたときに釣具仕掛けは道糸と反対側に飛行するので、防波堤などで釣る際にシャクリをいれるたびに擬似餌または餌籠が釣人の方に戻ってくることはなく、何度も遠投操作を繰り返す必要がなく、最適なポイントで長い時間の釣りを続行することができる。また、舟釣りの場合には、シャクリを繰り返すことにより擬似餌または餌籠は横方向の変化に富んだ動きをする。また、湖や池で水草下の奥深くを狙うことも容易となる。また、道糸を引いたときに擬似餌又は餌籠は急上昇するので、根掛かりしにくくなる。
【００３８】
前記のサビキ釣り用餌籠の延長部材付き外郭材に代えて、籠型部材に翼部材と延長部材を設けることによって、前記のサビキ釣り用餌籠の場合と同様に、餌籠に揚力が発生し、水中にある餌籠に対して道糸を引くと急上昇し、道糸を緩めると道糸と反対方向に飛行する機能を有する餌籠となる。
【発明を実施するための最良の形態】
【００３９】
〔第１の実施形態〕
図１は、本発明の第１の実施形態を示すもので、（ａ）は斜視図、（ｂ）は、イカ釣り用の餌木を示す側断面図、（ｃ）は魚釣り用の疑似餌を示す側断面図である。
本実施形態は、本発明の第１の構成を疑似餌本体１１の頭部側（図の左側）の端部の下部に、前方下方に傾斜する羽根板１６を連接し、羽根板１６の先端におもり１２を設けるとともに、尾部側（図の右側）の端部に同端部から外力に延長した延長部材としての補助翼１３を設け、頭部側に道糸２０の接続部１５を設け、補助翼１３の下方に釣り針１４を取り付けたものである。図１（ｂ）では釣り針１４をイカ釣り用の傘針とし、図１（ｃ）ではの釣り針１４をルアー用針とした例を示している。
【００４０】
疑似餌本体１１は筒型形状であるため、容積（浮力）が少ないために、潜行するためのおもりや、リップの揚力や抵抗も少なく潜行できる。このためボリューム感の割には全体重量が軽量化できることにより慣性力も小さく、加速度が大きいアクションが可能となる。止まった状態からの素早い動きも可能となる。
また、疑似餌本体１１は、筒型であるため、水流は通り抜けて、大きな抵抗を伴わないため速度においても早い移動となるアクションが可能である。
【００４１】
羽根板１６の先端におもり１２を設けることによって、全体の重心が頭部側（図の左側）となり、斜め上方に引かれる道糸２０の法線の下側へ頭部側が回り込むこととなる。これにより、常に道糸を引く方向に頭部側を回頭させ、方向性、追従性を確保する事ができる。おもりを付けなくとも羽根板１６を重い材料で構成し全体の重心を頭部側に持ってくることにより可能である。
道糸を斜め上方から引くと、道糸を引いた方向に方向性を保ち、羽根板１６が下向きの揚力を受け潜行する作用をうけるため、道糸を引く方向からずれて、横方向に素早くスライドすることができる。
【００４２】
道糸を引いている状態で、道糸２０の法線より頭部側に垂直翼となる面積が極力発生しないように道糸２０の接続点の位置や、疑似餌本体１１の頭部を斜めにカットした形状としている。リップについても横方向の面積は極力小さくしている。このために先翼式かつ垂直翼の働きとなる不安定な要素を軽減し、ラインテンション方向に頭部側を回頭する追従性を阻害することなく方向性を確保できる。
【００４３】
〔第２の実施形態〕
図２（ａ），（ｂ）は本発明の第２の実施形態における釣り用擬似餌を示す図で、（ａ）は斜視図、（ｂ）は側断面図である。
【００４４】
本実施形態は、本発明の第１および第２の構成をイカ釣り用の餌木に適用した例である。餌木１０は、擬似餌本体を筒型の擬似餌本体１１とし、この擬似餌本体１１の頭部側（図の左側）の端部の下部におもり１２を設けるとともに、尾部側（図の右側）の端部に同端部から外方に延長した延長部材としての補助翼１３を設け、頭部側に釣り針１４を取り付け、補助翼１３の下方に道糸２０の接続部１５を設けたものである。
【００４５】
擬似餌本体１１は、硬質プラスチック製であり、概略形状は断面がほぼ円形の筒状体の一端を斜めに切断した形状で、尾部側の端部に擬似餌本体１１の上面から連続してやや上方に傾斜した方向に補助翼１３を形成している。おもり１２は鉛であり、釣り針１４は通常の餌木用の釣り針である。
【００４６】
擬似餌本体１１の頭部側の端部の下部におもり１２を設けることによって、餌木１０は水中において頭部側の端部を下にした傾斜姿勢となる。道糸２０の接続点１５を、補助翼１３から下方に離れた位置とすることで、道糸２０を引いたときには、凧の原理により餌木１０はおもり１２を取り付けた頭部側が下になった姿勢で急上昇し、道糸２０を緩めたときには、餌木１０は道糸２０とは反対側の方向に道糸２０の張力の影響を受けながらゆっくりと飛行することになる。
【００４７】
道糸２０を緩めたときに餌木１０が水中を飛行する理由は、擬似餌本体１１の筒型の内部が空洞であるので、この筒型の外郭の一部が立体凧のようにグライダーの主翼に相当する機能を有することになり、水中での揚力が発生するからである。そして、この飛行時に、擬似餌本体１１の上部（主翼相当部材）とおもり１２の協働作用によって、振り子の原理により安定した飛行ができ、また、尾部側の補助翼１３がグライダーの尾翼に相当する機能を有することになり、飛行時の上下方向のバランス調整ができる。また、急上昇時にはこの補助翼１３によっても揚力を得ることができる。
【００４８】
道糸２０を緩めたときには、餌木１０は道糸２０と反対側に飛行するので、防波堤などで釣る際にシャクリをいれるたびに餌木１０が釣人の方に戻ってくることはなく、何度も遠投操作を繰り返す必要がなく、最適なポイントで長い時間の釣りを続行することができる。また、舟釣りの場合には、シャクリを繰り返すことにより餌木１０横方向の変化に富んだ動きをする。また、湖や池で水草下の奥深くを狙うことも容易となる。
道糸２０を引いたときには、餌木１０は急上昇するので、根掛かりしにくくなる。
【００４９】
図３は餌木１０の水中での動きを示す図である。同図の下部に示すように、道糸２０を緩めると、餌木１０は図示の位置から破線で示す経路で矢印Ａ方向にゆっくりと飛行する。この後、道糸２０を強く引くと、餌木１０は図中左側にあった位置から破線で示す経路で矢印Ｂ方向に急上昇する。再度道糸２０を緩めると、餌木１０は上昇した位置から破線で示す経路で矢印Ｃ方向にゆっくりと飛行する。
【００５０】
図４は、シャクリを繰り返したときの餌木１０の動きを示す図である。同図（ａ）に示すように、道糸２０を緩めたときの餌木１０の飛行と道糸２０を引いたときの餌木１０の急上昇の繰り返しにより、餌木１０は釣人から離れる方向に移動する。もしくは、ほぼ同じ位置で上昇と飛行を繰り返す。また、道糸２０を引いたときに急上昇することにより、餌木１０が水底の岩Ｒなどに根掛かりしにくくなる。また、同図（ｂ）に示すように、シャクリを繰り返すことによって、水草Ｇの下の奥深くを狙うことも可能となる。
【００５１】
図５は舟釣りの場合の餌木の動きを示す図である。舟釣りの場合、従来の餌木では、舟Ｓから垂らした道糸の下方に餌木があり、道糸を上下させたときに餌木は上下するだけであるが、本実施形態の餌木１０の場合は、図５に示すように、餌木１０は変化に富んだ横方向の動きをする。
【００５２】
本実施形態の餌木１０は、エビや小魚に似せた形状の従来の餌木と比較して形状は大きく異なっているが、本発明者の使用実験によれば、釣り果は従来の餌木の場合と同程度であった。なお、本実施形態の擬似餌本体１１の空洞の断面形状は円形であるが、空洞の形状は三角形や四角形その他の多角形あるいは楕円など、種々の形状を選択することができる。
なお、本実施形態は本発明の釣具仕掛けをイカ釣り用の餌木に適用した例であるが、擬似餌本体としての筒型部材の形状、大きさを適当なものとすることにより、ブラックバス釣り用、ジギング釣り用のルアーにも適用することができる。
【００５３】
〔第３の実施形態〕
図６は本発明の第３の実施形態におけるサビキ釣り用餌籠を示す図で、（ａ）は全体形状を模式的に示す正面断面図、（ｂ）は（ａ）のＸ−Ｘ線における断面図である。
【００５４】
本実施形態は、本発明の第３の構成を適用したサビキ釣り用餌籠である。餌籠３０は、釣具仕掛け本体としての筒型の外郭体３１の内側に籠型部材３３を取り付けたものである。
外郭体３１は、硬質プラスチック製であり、概略形状は断面がほぼ円形の筒状で、上方となる端部に外郭体３１の端面から連続してやや外方に傾斜した方向に補助部材としての補助翼３２を形成している。
籠型部材３３は、従来のサビキ釣り用餌籠と同様な底部におもり３４を設けた籠を用いる。この籠型部材３３を外郭体３１の内側に偏心させて接着剤３６により外郭体３１に取り付ける。道糸２０の接続部３５は籠型部材３３の上部に設ける。
【００５５】
この餌籠３０は、籠型部材３３の底部におもり３４が付いているので、水中にて道糸を緩めると籠型部材３３の底部を下にして傾斜姿勢となる。外郭体３１が筒型であるので、外郭体３１そのものがグライダーの主翼としての機能を有し、水中での揚力が発生し、また、外郭体３１とおもり３４の協働作用によって、振り子の原理により安定した飛行ができる。また、外郭体３１の上方の端部に設けた補助翼３２がグライダーの補助翼の機能を有することは第１の実施形態の餌木１０の場合と同様である。
【００５６】
補助翼３２の形状、大きさは、外郭体３１および籠型部材３３の形状、大きさや道糸の接続点に作用する張力の変化量に合わせて設計する。道糸の接続部３５の位置を、餌籠３０が水中にあるときの籠型部材３３の上部の位置とすることにより、第１の実施形態の餌木１０の場合と同様に、道糸２０を引いたときには、餌籠３０はおもり３４を取り付けた底部が下になった姿勢で急上昇し、道糸２０を緩めたときには、餌籠３０は道糸２０とは反対側の方向に道糸２０の張力の影響を受けながらゆっくりと飛行することになる。防波堤などで釣る場合に竿をシャクルと急上昇し、弛めると釣り人から離れる方向に飛行するため、餌籠３０は竿の先端よりも先の方に進むので、竿の長さ以上の遠くを狙うことができるようになる。
【００５７】
図７はサビキ釣り用餌籠３０の水中での動きを示す図である。この餌籠３０も第１実施形態の餌木１０と同様な水中での動きをする。すなわち、同図の下部に示すように、道糸２０を緩めると、餌籠３０は図示の位置から破線で示す経路で矢印Ｄ方向にゆっくりと飛行する。この後、道糸２０を強く引くと、餌籠３０は図中左側にあった位置から破線で示す経路で矢印Ｅ方向に急上昇する。再度道糸２０を緩めると、餌籠３０は上昇した位置から破線で示す経路で矢印Ｆ方向にゆっくりと飛行する。
【００５８】
図８はシャクリを繰り返したときの餌籠３０の動きを示す図である。同図に示すように、道糸２０を緩めたときの餌籠３０の飛行と道糸２０を引いたときの餌籠３０の急上昇の繰り返しにより、餌籠３０は防波堤Ｗ上の釣人が持つ竿の先端より遠くに離れる方向に移動する。
【００５９】
〔第４の実施形態〕
図９は本発明の第４の実施形態におけるサビキ釣り用餌籠を示す図で、（ａ）は全体形状を模式的に示す側面図、（ｂ）は同正面図である。
【００６０】
本実施形態は、本発明の第４の構成を適用したサビキ釣り用餌籠である。餌籠４０は、おもり４２付きの籠型部材４１に翼部材としての一対の主翼４３と延長部材としての一対の補助翼４４を設け、接続点４５に道糸２０を接続したものである。籠型部材４１は、従来のサビキ釣り用餌籠の籠と同様な餌を入れる籠体である。この籠型部材４１の底部側（図９（ａ）の左側）の下部に鉛のおもり４２を設け、側部に一対の主翼４３を設けるとともに、上部（図９（ａ）の右側）の端部に一対の補助翼４４を設け、補助翼４４の対向する位置に道糸２０の接続部４５を設けたものである。
【００６１】
この餌籠４０は、第３の実施形態の餌籠３０の外郭体３１と補助翼３２に代えて一対の主翼４３と一対の補助翼４４を籠型部材４１に設けたものであるが、さらにこの主翼４３に代えて、籠型部材４１の周方向の半分程度にわたり隙間をあけて覆うように断面半円状の部材を取り付けて、この部材を主翼とすることもできる。いずれの場合も第２の実施形態における餌籠３０の場合と同様に、道糸２０を引いたときには、餌籠４０はおもり４２を取り付けた底部が下になった姿勢で急上昇し、道糸２０を緩めたときには、餌籠４０は道糸２０とは反対側の方向に道糸２０の張力の影響を受けながらゆっくりと飛行することになる。このとき餌籠４０は、籠型部材４１の主翼４３を設けた側の半周面が水面側を向く姿勢となる。
【産業上の利用可能性】
【００６２】
本発明は、水中で軽量で俊敏、かつ潜航できる疑似餌や急上昇と飛行の機能を持たせた釣り用擬似餌、およびサビキ釣り用餌籠として、有用に利用することができる。
【図面の簡単な説明】
【００６３】
【図１】本発明の第１の実施形態を示すもので、（ａ）は斜視図、（ｂ）は、イカ釣り用の餌木を示す側断面図、（ｃ）は魚釣り用の疑似餌を示す側断面図である。
【図２】（ａ），（ｂ）は本発明の第２実施形態における擬似餌を示す図で、（ａ）は斜視図、（ｂ）は側断面図である。
【図３】餌木の水中での動きを示す図である。
【図４】シャクリを繰り返したときの餌木の動きを示す図である。
【図５】舟釣りの場合の餌木の動きを示す図である。
【図６】本発明の第３の実施形態におけるサビキ釣り用餌籠を示す図で、（ａ）は全体形状を模式的に示す正面断面図、（ｂ）は（ａ）のＸ−Ｘ線における断面図である。
【図７】サビキ釣り用餌籠の水中での動きを示す図である。
【図８】シャクリを繰り返したときのサビキ釣り用餌籠の動きを示す図である。
【図９】本発明の第４の実施形態におけるサビキ釣り用餌籠を示す図で、（ａ）は全体形状を模式的に示す側面図、（ｂ）は同正面図である。
【図１０】（ａ）は従来の餌木を示す図、（ｂ）は従来のルアーを示す図、（ｃ）はサビキ釣り用のおもり付き餌籠を示す図である。
【図１１】シャクリを繰り返したときの従来の餌木やルアーの動きを示す図である。
【符号の説明】
【００６４】
１０  餌木
１１  擬似餌本体
１２，３４，４２  おもり
１３，３２，４４  補助翼
１４  釣り針
１５，３５，４５  道糸の接続部
１６  羽根板
２０  道糸
３０，４０  サビキ釣り用の餌籠
３１  外郭体
３３，４１  籠型部材
３６  接着剤
４３  主翼
【図１】
2004154134.tif 000003
【図２】
2004154134.tif 000004
【図３】
2004154134.tif 000005
【図４】
2004154134.tif 000006
【図５】
2004154134.tif 000007
【図６】
2004154134.tif 000008
【図７】
2004154134.tif 000009
【図８】
2004154134.tif 000010
【図９】
2004154134.tif 000011
【図１０】
2004154134.tif 000012
【図１１】
2004154134.tif 000013